(57)【要約】【課題】音声コマンドによるオフフック動作や応答の送信時間に生じる「間」を気にすることなく話し続けることができる電話機を提供する。【解決手段】着信判定部(１２)が通信部(２)に着信があったと判定すると、音声データバッファ部(１７)に音声入力部(５)からの音声データを記憶させる録音動作を行う音声データ録音制御部(１３)と、キーワード判定部(１５)が音声データバッファ部(１７)の音声データに含まれるキーワードがオフフック動作用キーワードと一致すると判定したとき、通信部(２)をオフフック動作させて外部機器との音声による通信を開始する通信制御部(１１)と、音声による通信を開始した後、音声データバッファ部(１７)の音声データに含まれるキーワードの先頭を再生開始点として、その再生開始点から読み出した音声データを通信部(２)により送信させる再生動作を早送りで行う音声データ再生制御部(１４)とを備える。【選択図】図１
2014150341.tif 000002
【特許請求の範囲】
【請求項１】
外部機器と通信を行う通信部と、
上記通信部により受信された音声データに基づいて音声を出力する音声出力部と、
入力音声を音声データとして出力する音声入力部と、
上記通信部に着信があったか否かを判定する着信判定部と、
上記音声入力部からの上記音声データを記憶するための音声データバッファ部と、
上記着信判定部が上記通信部に着信があったと判定すると、上記音声データバッファ部に上記音声入力部からの上記音声データを記憶させる録音動作を行う音声データ録音制御部と、
上記音声データバッファ部に記憶された上記音声データに含まれるキーワードが予め決められたオフフック動作用キーワードと一致するか否かを判定するキーワード判定部と、
上記キーワード判定部が上記音声データに含まれるキーワードが上記オフフック動作用キーワードと一致すると判定したとき、上記通信部をオフフック動作させて上記外部機器との音声による通信を開始する通信制御部と、
上記通信制御部により上記外部機器との音声による通信を開始した後、上記音声データバッファ部に記憶された上記音声データに含まれる上記キーワードの先頭を再生開始点として、その再生開始点から読み出した音声データを上記通信部により送信させる再生動作を早送りで行う音声データ再生制御部と
を備えたことを特徴とする電話機。
【請求項２】
請求項１に記載の電話機において、
上記音声データ再生制御部は、上記音声データバッファ部から音声データを読み出す位置を示す再生ポインタが、上記音声データ録音制御部により上記音声データバッファ部に音声データを記憶する位置を示す録音ポインタと一致するかまたはその録音ポインタ近傍に達すると、上記音声データバッファ部から読み出した音声データを上記通信部により送信させる再生動作を終了し、
上記通信制御部は、上記再生動作の終了後、上記音声入力部からの上記音声データを上記通信部から送信させることを特徴とする電話機。
【請求項３】
請求項１または２に記載の電話機において、
上記音声データ再生制御部は、上記音声データバッファ部から音声データを読み出す再生速度を、上記音声データ録音制御部により上記音声データバッファ部に音声データを記憶する録音速度よりも速くしたことを特徴とする電話機。
【請求項４】
請求項３に記載の電話機において、
上記音声データ再生制御部は、上記音声データバッファ部から音声データを読み出す再生速度を、上記再生開始点から上記音声データ再生制御部による再生を終了する再生終了点まで徐々に遅くしたことを特徴とする電話機。
【請求項５】
請求項１に記載の電話機において、
上記音声データ録音制御部が上記音声入力部からの上記音声データを上記音声データバッファ部に記憶する録音速度と、上記音声データ再生制御部が上記音声データバッファ部から音声データの読み出す再生速度が同一または略同一であって、
上記音声データ再生制御部が再生区間とスキップ区間を交互に繰り返す再生動作を行うか、または、上記音声データ録音制御部が記憶区間とスキップ区間を交互に繰り返す録音動作を行うことを特徴とする電話機。
【発明の詳細な説明】
【技術分野】
【０００１】
この発明は、電話機に関し、詳しくは、着信応答を検出してオフフック動作を行う電話機に関する。
【背景技術】
【０００２】
従来、電話機としては、着信を検出して着信音を出力する着信音発生手段と、入力音声を音声信号に変換して送信する音声入力送信手段と、受信した音声信号を音声に変換して出力する受信音声出力手段と、着信に対する音声応答を検出する着信応答検出手段と、着信応答の検出によりオフフック動作を行う制御手段とを備えたものがある(例えば、特開平９−１８６７５７号公報(特許文献１)参照)。この電話機は、音声入力送信手段で得られる着信音および着信応答を含む音声信号から着信音成分を着信音除去手段により除去した後、着信応答検出手段により音声応答を検出する。そうして、上記電話機は、着信応答検出手段で検出された音声応答を一時記憶し、オフフック後に着信応答出力手段により音声応答を読み出して、音声入力送信手段より相手方に送信する。
【０００３】
上記電話機によれば、着信音に対して「もしもし」(音声コマンド)と応答すると、一時記憶したその内容(「もしもし」)をそのまま送信することにより、利用者はオフフックのため音声コマンドである「もしもし」と、オフフック後に相手方に問いかける「もしもし」を２回発声することなく、ハンズフリーで音声による着信応答が可能となる。
【先行技術文献】
【特許文献】
【０００４】
【特許文献１】特開平９−１８６７５７号公報
【発明の概要】
【発明が解決しようとする課題】
【０００５】
しかしながら、上記電話機では、音声コマンドによるオフフック動作で音声回線が接続されたとき、オフフック時の音声コマンド(例えば「もしもし」)を再生する間は、何も話せなくなってしまうため、不自然な「間」ができてしまうという問題がある。
【０００６】
具体的な例としては、次のようなものがある。
着信  →  「もしもし」(音声コマンド)  →  オフフック作動  →  「もしもし」を再生  →  「○○○○の原です。・・・」
このような場合、「もしもし」の再生中は、相手方に話すことができない。
【０００７】
そこで、この発明の課題は、ユーザーの発話が自然なパターンとなることにより、音声コマンドによるオフフック動作や応答の送信時間に生じる「間」を気にすることなく話し続けることができる電話機を提供することにある。
【課題を解決するための手段】
【０００８】
上記課題を解決するため、この発明の電話機は、
外部機器と通信を行う通信部と、
上記通信部により受信された音声データに基づいて音声を出力する音声出力部と、
入力音声を音声データとして出力する音声入力部と、
上記通信部に着信があったか否かを判定する着信判定部と、
上記音声入力部からの上記音声データを記憶するための音声データバッファ部と、
上記着信判定部が上記通信部に着信があったと判定すると、上記音声データバッファ部に上記音声入力部からの上記音声データを記憶させる録音動作を行う音声データ録音制御部と、
上記音声データバッファ部に記憶された上記音声データに含まれるキーワードが予め決められたオフフック動作用キーワードと一致するか否かを判定するキーワード判定部と、
上記キーワード判定部が上記音声データに含まれるキーワードが上記オフフック動作用キーワードと一致すると判定したとき、上記通信部をオフフック動作させて上記外部機器との音声による通信を開始する通信制御部と、
上記通信制御部により上記外部機器との音声による通信を開始した後、上記音声データバッファ部に記憶された上記音声データに含まれる上記キーワードの先頭を再生開始点として、その再生開始点から読み出した音声データを上記通信部により送信させる再生動作を早送りで行う音声データ再生制御部と
を備えたことを特徴とする。
【図面の簡単な説明】
【０００９】
【図１】図１はこの発明の第１実施形態の電話機の構成を示すブロック図である。
【図２】図２は上記電話機の制御装置の動作を説明するフローチャートである。
【図３】図３は図２に続くフローチャートである。
【図４】図４は上記電話機の録音バッファ部の概念を説明するための模式図である。
【図５】図５は上記電話機において録音ポインタと再生ポインタの動きを説明するための図である。
【図６】図６はこの発明の第２実施形態の電話機の再生ポインタの動きを調整する動作を説明するための図である。
【図７】図７はこの発明の第３実施形態の電話機の録音ポインタの動きを調整する動作を説明するための図である。
【図８】図８はこの発明の第４実施形態の電話機の再生ポインタと再生ポインタの動きを説明するための図である。
【図９】図９はこの発明の第５実施形態の電話機の再生ポインタの動きを調整する動作を説明するための図である。
【図１０】図１０はこの発明の第６実施形態の電話機の録音ポインタの動きを調整する動作を説明するための図である。
【発明を実施するための形態】
【００１０】
以下、この発明の電話機を図示の実施の形態により詳細に説明する。
【００１１】
〔第１実施形態〕
図１はこの発明の第１実施形態の電話機の構成を示すブロック図である。この第１実施形態の電話機は、無線よる音声通話機能を備えた携帯電話である。
【００１２】
この第１実施形態の電話機は、図１に示すように、制御装置１と、無線により制御装置１と通信を行う通信部２と、制御装置１により制御される着信鳴動用スピーカ３と、制御装置１からの音声データに基づいて音声を出力する音声出力部４と、入力された音声を表す音声データを制御装置１に出力する音声入力部５とを備えている。ここで、上記音声出力部４は、イヤピースやスピーカなどであり、着信鳴動用スピーカ３と兼用してもよい。
【００１３】
上記制御装置１は、マイクロコンピュータと入出力回路などからなり、通信部２を制御する通信制御部１１と、通信部２に着信があったか否かを判定する着信判定部１２と、音声入力部５からの音声データの録音を行う音声データ録音制御部１３と、音声データを通信部２により送信させる再生動作を早送りで行う音声データ再生制御部１４と、キーワード判定部の一例としての音声認識部１５と、照合用キーワードデータ部１６と、音声入力部５からの音声データを記憶するための音声データバッファ部の一例としての録音バッファ部１７とを有する。
【００１４】
図２,図３のフローチャートに従って上記電話機の制御装置１の動作を以下に説明する。
【００１５】
まず、制御装置１の処理がスタートすると、図２に示すステップＳ１で着信判定部１２により着信の有無を判定し、着信があるときはステップＳ２に進む一方、着信がないときはステップＳ１を繰り返す。
【００１６】
次に、ステップＳ２で音声入力モードに切り替える。このとき、録音ポインタを録音バッファ部１７の先頭に設定する。
【００１７】
ここで、音声入力モードは、着信音の合間、または、着信音の停止操作後に行うのが望ましい。
【００１８】
次に、ステップＳ３に進み、音声入力部５からの音声データを入力する。
【００１９】
次に、ステップＳ４に進み、音声データ録音制御部１３は、録音バッファ部１７に入力された音声データの小区間を録音して録音ポインタを進める。
【００２０】
次に、ステップＳ５に進み、音声認識部１５によって、入力された音声データから認識されたキーワードが、照合用キーワードデータ部１６に記憶された特定キーワード(オフフック動作用キーワード)に該当するか否かを照合する。例えば、録音バッファ部１７の中に照合用キーワード(「もしもし」など)が含まれるかどうかをチェック(照合)する。
【００２１】
そして、ステップＳ５で音声データから認識されたキーワードが特定キーワードに該当すると判定すると、ステップＳ６に進む一方、音声データから認識されたキーワードが特定キーワードに該当しないと判定すると、ステップＳ３に戻る。
【００２２】
次に、ステップＳ６で、音声データ再生制御部１４は、録音バッファ部１７において再生ポインタを音声認識部１５により認識されたキーワードの先頭にする。
【００２３】
次に、ステップＳ７に進み、通信制御部１１により通信部２をオフフック動作させて音声回線を接続する。
【００２４】
次に、図３に示すステップＳ８に進み、音声データ録音制御部１３は、音声入力部５からの音声データの小区間を、引き続き録音バッファ部１７に録音し、録音ポインタを進めた後、ステップＳ１０に進む。この段階では、録音バッファ部１７の音声データが音声データ再生制御部１４により再生されて相手に伝わる(録音音声と再生音声にタイムラグあり)。
【００２５】
また、ステップＳ８と並行して、ステップＳ９で、音声データ再生制御部１４は、録音バッファ部１７の小区間の音声データを早送りで再生して通信部２を介して相手に送話し、再生ポインタ進めた後、ステップＳ１０に進む。
【００２６】
この第１実施形態の早送り再生では、再生速度を録音速度よりも速くしたが、家庭用録画機などで用いられているような「周波数の変動を伴わない音声の高速再生技術」を用いてもよい。具体的には、録音バッファを小区間(例えば１００ｍｓｅｃ)ごとに分割し、小区間内で所定の割合の音声データ(例えば７０ｍｓｅｃ)を再生した後、残りの割合の音声データ(３０ｍｓｅｃ)の再生をスキップさせる(再生せずに音声データを捨てる)。
【００２７】
なお、オペレーティングシステムの仕様によって、録音(ステップＳ８)と再生(ステップＳ９)の厳密な並行処理が不可能な場合はステップＳ８,Ｓ９の順で実行してもよい(この場合、疑似的な並行処理となる)。
【００２８】
次に、ステップＳ１０で録音バッファ部１７における再生ポインタが録音ポインタ以上か否かを判定する。
【００２９】
そして、ステップＳ１０で再生ポインタが録音ポインタ以上のときは、ステップＳ１１に進み、通常の通話状態に遷移する。この通常の通話状態では、録音音声と再生音声にタイムラグはない。
【００３０】
一方、ステップＳ１０で録音バッファ部１７における再生ポインタが録音ポインタ未満のときは、ステップＳ８およびステップＳ９を繰り返す。
【００３１】
音声入力モードを着信音の合間または着信音の停止操作後に行わない場合は、録音の前または後のタイミングで、必要に応じて音声入力部５により集音された「着信音信号が混入した音声信号」から着信音成分を軽減する処理を行って、着信音以外の音声認識に好適な音声信号(主にユーザーの声)の分離を行うとよい。ここで、着信音成分を軽減する処理は、音声入力部５から入力された音声に対して、音声入力部５を経由しない着信音だけの逆相信号を適度なレベルで加算することによって可能な限り打ち消している。なお、周波数フィルタを用いて着信音成分を軽減してもよい。
【００３２】
図４は上記電話機の録音バッファ部１７の概念を説明するための模式図である。図４に示すように、録音バッファ部１７は、録音テープなどの記憶媒体と同じようにして、録音ポインタの初期値を録音開始点とし、所定の録音速度で録音ポインタを移動させながら音声データを記憶する。これと並行して、音声認識部１５により録音バッファ部１７に録音された音声データに含まれるキーワード(図４では「もしもし」)を認識して、そのキーワードが照合用キーワードデータ部１６に予め設定されたキーワード(オンオフ動作用キーワード)と一致すると判定すると、録音バッファ部１７のキーワードの先頭の音声データを再生開始点として、音声データ再生制御部１４は、再生開始点から読み出した音声データを通信部２により送信させる再生動作を早送りで行う。
【００３３】
上記第１実施形態の録音ポインタと再生ポインタの動きを図５を用いて説明する。図５において、横軸は時間を表し、縦軸は録音バッファ部１７における位置を表す。
【００３４】
図５に示すように、録音開始点からの音声データに含まれるキーワードを認識して、そのキーワードの先頭から再生を開始するときに、再生速度を録音速度よりも速くすることにより、再生ポインタが録音ポインタに追いついて、録音および再生の終了時刻となる。
【００３５】
上記第１実施形態の電話機によれば、着信時に音声入力の待機状態に遷移させ、このときに「もしもし」や「はい」等の登録済みのキーワード(音声コマンド)を含む音声を認識した場合、その音声を録音した上でオフフック動作により接続状態に遷移する。その直後、まず録音済みの「もしもし」や「はい」を早送りで再生して送信する。
【００３６】
これに並行して、発せられた通常の通話も録音しつつ、やや早送りで再生し、一定時間後にタイムラグを解消して通常の会話を可能とする。例えば、
着信  →  「もしもし」(コマンド指示)    →  オフフック作動し、「もしもし」が早送りで相手に届く  →  続けてやや早送りで「○○○○の原です。・・・」
とすることにより、オフフック動作を気にせず、話し続けることができる。
【００３７】
したがって、ユーザーの発話が自然なパターンとなることにより、音声コマンドによるオフフック動作や応答の送信時間に生じる「間」を気にすることなく話し続けることができる。
【００３８】
また、音声データ再生制御部１４の再生ポインタ(録音バッファ部１７から音声データを読み出す位置を示す)が、音声データ録音制御部１３の録音ポインタ(録音バッファ部１７に音声データを記憶する位置を示す)と一致するかまたはその録音ポインタ近傍に達すると、音声データ再生制御部１４は、録音バッファ部１７から読み出した音声データを通信部２により送信させる再生動作を終了する。そして、その再生動作の終了後、通信制御部１１によって通信部２を制御して、音声入力部５からの音声データをそのまま通信部２から送信させることにより、音声コマンドによるオフフック後の再生動作から通常の通話状態に切り換えてスムーズな会話が行える。
【００３９】
また、音声データ再生制御部１４により再生開始点からの音声データを読み出す再生速度を、音声データ再生制御部１４により録音バッファ部１７に音声データを記憶する録音速度よりも速くすることによって、録音バッファ部１７への録音に再生が追いつき、通常の通話状態に切り換えることが可能になる。
【００４０】
〔第２実施形態〕
図６はこの発明の第２実施形態の電話機の再生ポインタの動きを調整する動作を説明するための図である。この第２実施形態の電話機は、再生動作を除いて第１実施形態の電話機と同一の構成をしており、図１を援用する。
【００４１】
上記第２実施形態の電話機は、第１実施形態の電話機と同様の効果を有する。
【００４２】
また、上記第２実施形態の電話機は、図６に示すように、音声データ再生制御部１４(図１に示す)による録音バッファ部１７から音声データの読み出し動作と、音声データ録音制御部１３(図１に示す)による音声入力部５からの音声データを録音バッファ部１７に記憶する動作とを同じ速度で行いつつ、音声データ再生制御部１４による再生動作において再生区間とスキップ区間を交互に繰り返す。これによって、簡単な制御で再生音声の周波数を変動させることなく早送り再生が可能になる。
【００４３】
〔第３実施形態〕
図７はこの発明の第３実施形態の電話機の録音ポインタの動きを調整する動作を説明するための図である。この第３実施形態の電話機は、録音動作を除いて第１実施形態の電話機と同一の構成をしており、図１を援用する。
【００４４】
上記第３実施形態の電話機は、第１実施形態の電話機と同様の効果を有する。
【００４５】
また、上記第２実施形態の電話機は、図７に示すように、音声データ再生制御部１４(図１に示す)による録音バッファ部１７からの音声データの読み出し動作と、音声データ録音制御部１３(図１に示す)による音声入力部５からの音声データを録音バッファ部１７に記憶する動作とを同じ速度で行いつつ、音声データ録音制御部１３による録音動作において録音区間とスキップ区間を交互に繰り返す。これによって、簡単な制御で再生音声の周波数を変動させることなく早送り再生が可能になる。
【００４６】
〔第４実施形態〕
図８はこの発明の第４実施形態の電話機の録音ポインタと再生ポインタの動きを説明するための図である。この第４実施形態の電話機は、再生動作を除いて第１実施形態の電話機と同一の構成をしており、図１を援用する。
【００４７】
上記第４実施形態の電話機は、第１実施形態の電話機と同様の効果を有する。
【００４８】
また、上記第４実施形態の電話機によれば、音声データ再生制御部１４(図１に示す)による録音バッファ部１７から音声データを読み出す再生速度を、再生開始点から音声データ再生制御部１４(図１に示す)による再生を終了する再生終了点まで徐々に遅くすることによって、録音バッファ部１７への録音に再生が追いつき、通常の通話状態に切り換えることが可能になると共に、録音に再生が追いつくにつれて、再生音声の周波数が実際の入力音声に近くなるので、通常の通話状態に切り換えるときの違和感が少なくなる。
【００４９】
〔第５実施形態〕
図９はこの発明の第５実施形態の電話機の再生ポインタの動きを調整する動作を説明するための図である。この第５実施形態の電話機は、再生動作を除いて第１実施形態の電話機と同一の構成をしており、図１を援用する。
【００５０】
上記第５実施形態の電話機は、第１実施形態の電話機と同様の効果を有する。
【００５１】
また、上記第５実施形態の電話機は、図６に示すように、音声データ再生制御部１４(図１に示す)による録音バッファ部１７から音声データの読み出し動作と、音声データ録音制御部１３(図１に示す)による音声入力部５からの音声データを録音バッファ部１７に記憶する動作とを同じ速度で行いつつ、音声データ再生制御部１４による再生動作において再生区間とスキップ区間を交互に繰り返す。このとき、第４実施形態の図８に示す再生ポインタの軌跡に再生区間が沿うようにしてスキップ区間を徐々に短くする。
【００５２】
これによって、簡単な制御で再生音声の周波数を変動させることなく早送り再生が可能になる。
【００５３】
〔第６実施形態〕
図１０はこの発明の第６実施形態の電話機の録音ポインタの動きを調整する動作を説明するための図である。この第６実施形態の電話機は、録音動作を除いて第１実施形態の電話機と同一の構成をしており、図１を援用する。
【００５４】
上記第６実施形態の電話機は、第１実施形態の電話機と同様の効果を有する。
【００５５】
また、上記第６実施形態の電話機は、図１０に示すように、音声データ再生制御部１４(図１に示す)による録音バッファ部１７から音声データの読み出し動作と、音声データ録音制御部１３(図１に示す)による音声入力部５からの音声データを録音バッファ部１７に記憶する動作とを同じ速度で行いつつ、音声データ録音制御部１３による録音動作において録音区間とスキップ区間を交互に繰り返す。このとき、点線で示す曲線に録音区間が沿うようにしてスキップ区間を徐々に短くする。
【００５６】
これによって、簡単な制御で再生音声の周波数を変動させることなく早送り再生が可能になる。
【００５７】
上記第１〜第６実施形態では、無線よる音声通話機能を備えた携帯電話について説明したが、この発明の電話機はこれに限らず、無線または有線による通話機能を備えた電子機器に適用してもよい。
【００５８】
この発明の電話機は、
外部機器と通信を行う通信部２と、
上記通信部２により受信された音声データに基づいて音声を出力する音声出力部４と、
入力音声を音声データとして出力する音声入力部５と、
上記通信部２に着信があったか否かを判定する着信判定部１２と、
上記音声入力部５からの上記音声データを記憶するための音声データバッファ部１７と、
上記着信判定部１２が上記通信部２に着信があったと判定すると、上記音声データバッファ部１７に上記音声入力部５からの上記音声データを記憶させる録音動作を行う音声データ録音制御部１３と、
上記音声データバッファ部１７に記憶された上記音声データに含まれるキーワードが予め決められたオフフック動作用キーワードと一致するか否かを判定するキーワード判定部１５と、
上記キーワード判定部１５が上記音声データに含まれるキーワードが上記オフフック動作用キーワードと一致すると判定したとき、上記通信部２をオフフック動作させて上記外部機器との音声による通信を開始する通信制御部１１と、
上記通信制御部１１により上記外部機器との音声による通信を開始した後、上記音声データバッファ部１７に記憶された上記音声データに含まれる上記キーワードの先頭を再生開始点として、その再生開始点から読み出した音声データを上記通信部２により送信させる再生動作を早送りで行う音声データ再生制御部と
を備えたことを特徴とする。
【００５９】
上記構成によれば、着信判定部１２が通信部２に着信があったと判定すると、音声データ録音制御部１３は、音声データバッファ部１７に音声入力部５からの音声データを記憶させる録音動作を行う。そして、キーワード判定部１５は、音声データバッファ部１７に記憶された音声データに含まれるキーワードが予め決められたオフフック動作用キーワード(「もしもし」や「はい、原です。」などの音声コマンド)と一致するか否かを判定する。次に、キーワード判定部１５が音声データに含まれるキーワードがオフフック動作用キーワードと一致すると判定したとき、通信制御部１１は、通信部２をオフフック動作させて外部機器との音声による通信を開始する。上記通信制御部１１により外部機器との音声による通信を開始した後、音声データ再生制御部１４は、音声データバッファ部１７に記憶された音声データに含まれるキーワードの先頭を再生開始点として、その再生開始点から読み出した音声データを通信部２により送信させる再生動作を早送りで行う。このように、上記通信制御部１１により外部機器との音声による通信を開始した直後、まず音声データバッファ部１７に録音済みのキーワード(「もしもし」や「はい、原です。」などの音声コマンド)を早送りで再生・送信するのと並行して、キーワードの後に続けて発せられた通常の通話も音声データバッファ部１７に録音しながら早送りで再生する。これにより、ユーザーの発話が自然なパターンとなることにより、音声コマンドによるオフフック動作や応答の送信時間に生じる「間」を気にすることなく話し続けることができる。
【００６０】
また、一実施形態の電話機では、
上記音声データ再生制御部１４は、上記音声データバッファ部１７から音声データを読み出す位置を示す再生ポインタが、上記音声データ録音制御部１３により上記音声データバッファ部１７に音声データを記憶する位置を示す録音ポインタと一致するかまたはその録音ポインタ近傍に達すると、上記音声データバッファ部１７から読み出した音声データを上記通信部２により送信させる再生動作を終了し、
上記通信制御部１１は、上記再生動作の終了後、上記音声入力部５からの上記音声データを上記通信部２から送信させる。
【００６１】
上記実施形態によれば、音声データ再生制御部１４の再生ポインタ(音声データバッファ部１７から音声データを読み出す位置を示す)が、音声データ録音制御部１３の録音ポインタ(音声データバッファ部１７に音声データを記憶する位置を示す)と一致するかまたはその録音ポインタ近傍に達すると、音声データ再生制御部１４は、音声データバッファ部１７から読み出した音声データを通信部２により送信させる再生動作を終了する。そして、その再生動作の終了後、通信制御部１１によって通信部２を制御して、音声入力部５からの音声データを通信部２から送信させることにより、音声コマンドによるオフフック後の再生動作から通常の通話状態に切り換えてスムーズな会話が行える。
【００６２】
また、一実施形態の電話機では、
上記音声データ再生制御部１４は、上記音声データバッファ部１７から音声データを読み出す再生速度を、上記音声データ録音制御部１３により上記音声データバッファ部１７に音声データを記憶する録音速度よりも速くした。
【００６３】
上記実施形態によれば、音声データ再生制御部１４により音声データバッファ部１７から音声データを読み出す再生速度を、音声データ再生制御部１４により音声データバッファ部１７に音声データを記憶する録音速度よりも速くすることによって、音声データバッファ部１７への録音に再生が追いつき、通常の通話状態に切り換えることが可能になる。
【００６４】
また、一実施形態の電話機では、
上記音声データ再生制御部１４は、上記音声データバッファ部１７から音声データを読み出す再生速度を、上記再生開始点から上記音声データ再生制御部１４による再生を終了する再生終了点まで徐々に遅くした。
【００６５】
上記実施形態によれば、音声データ再生制御部１４による音声データバッファ部１７から音声データを読み出す再生速度を、再生開始点から音声データ再生制御部１４による再生を終了する再生終了点まで徐々に遅くすることによって、音声データバッファ部１７への録音に再生が追いつき、通常の通話状態に切り換えることが可能になると共に、録音に再生が追いつくにつれて、再生音声の周波数が実際の入力音声に近くなるので、通常の通話状態に切り換えるときの違和感が少なくなる。
【００６６】
また、一実施形態の電話機では、
上記音声データ録音制御部１３が上記音声入力部５からの上記音声データを上記音声データバッファ部１７に記憶する録音速度と、上記音声データ再生制御部１４が上記音声データバッファ部１７から音声データの読み出す再生速度が同一または略同一であって、
上記音声データ再生制御部１４が再生区間とスキップ区間を交互に繰り返す再生動作を行うか、または、上記音声データ録音制御部１３が記憶区間とスキップ区間を交互に繰り返す録音動作を行う
上記実施形態によれば、音声データ再生制御部１４による音声データバッファ部１７から音声データの読み出し動作と、音声入力部５からの音声データを音声データバッファ部１７に記憶する動作とを同じ速度で行いつつ、音声データ再生制御部１４による再生動作において再生区間とスキップ区間を交互に繰り返すことによって、簡単な制御で再生音声の周波数を変動させることなく早送り再生が可能になる。
【００６７】
または、音声データ再生制御部１４による音声データバッファ部１７から音声データの読み出し動作と、音声入力部５からの音声データを音声データバッファ部１７に記憶する動作とを同じ速度で行いつつ、音声データ録音制御部１３による録音動作において録音区間とスキップ区間を交互に繰り返すことによって、簡単な制御で再生音声の周波数を変動させることなく早送り再生が可能になる。
【００６８】
この発明の具体的な実施の形態について説明したが、この発明は上記第１〜第６実施形態に限定されるものではなく、この発明の範囲内で種々変更して実施することができる。
【符号の説明】
【００６９】
１…制御装置
２…通信部
３…着信鳴動用スピーカ
４…音声出力部
５…音声入力部
１１…通信制御部
１２…着信判定部
１３…音声データ録音制御部
１４…音声データ再生制御部
１５…音声認識部
１６…照合用キーワードデータ部
１７…録音バッファ部
【図１】
2014150341.tif 000003
【図２】
2014150341.tif 000004
【図３】
2014150341.tif 000005
【図４】
2014150341.tif 000006
【図５】
2014150341.tif 000007
【図６】
2014150341.tif 000008
【図７】
2014150341.tif 000009
【図８】
2014150341.tif 000010
【図９】
2014150341.tif 000011
【図１０】
2014150341.tif 000012